【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物と場合により結合剤とを含有する光学データ記録媒体において、吸光性化合物として少なくとも１種のメロシアニン色素を使用することを特徴とする、光学データ記録媒体。
【請求項２】
メロシアニンが３４０〜４１０ｎｍの範囲内の吸収極大λｍａｘ１、４２０〜６５０ｎｍの範囲内のλｍａｘ２又は６５０〜８１０ｎｍの範囲内のλｍａｘ３を有する、ライトワンス型光学データ記録媒体の情報層中でのメロシアニンの使用。
【請求項３】
データ記録媒体を青色レーザー光で書き込み及び読み出しする、ライトワンス型光学データ記録媒体の情報層中でのメロシアニンの使用。
【請求項４】
有利に透明な、場合により既に１つの反射層で被覆された基板を、場合により適当な結合剤及び添加剤及び場合により適当な溶剤と組み合わせたメロシアニンで被覆し、場合により反射層、他の中間層及び場合により保護層又は他の基板又はカバー層を設けることを特徴とする、請求項１記載の光学データ記録媒体の製造方法。
【請求項５】
青色光、赤色光又は赤外線、特にレーザー光で書き込まれた、請求項１記載の光学データ記録媒体。
【請求項６】
式（ＣＩ）
【化１】
2004525800.tif 000001
［式中、
Ｘ１０１はＯ又はＳを表し、
Ｘ１０２はＣＨを表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素を表し、
その際、アルキル基、例えばプロピル、ブチル等は分枝していてもよい］
又は、式（ＣＩ）
【化２】
2004525800.tif 000002
［式中、
Ｘ１０１はＳを表し、
Ｘ１０２はＮを表し、
Ｒ１０１及びＲ１０２は相互に無関係に、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ又はピペリジノを表し、
Ｒ１０３は水素又はフェニルを表し、
その際、アルキル基、例えばプロピル、ブチル等は分枝していてもよい］
又は、式（ＣＸＩＶ）
【化３】
2004525800.tif 000003
［式中、
Ｘ１０５はＣ（ＣＨ３）２を表し、
Ｒ１０８はプロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９はメチル、エチル、メトキシ、エトキシ、シアン、クロロ、トリフルオロメチル、トリフルオロメトキシ又はエトキシカルボニルを表し、
その際、アルキル基、例えばプロピル、ブチル等は分枝していてもよい］
又は、式（ＣＩＩＩ）
【化４】
2004525800.tif 000004
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素又はフェニルを表し、
Ｒ１０４は水素又はシアノを表し、
Ｙ１０１はＣＨを表し、
ＣＸ１０３Ｘ１０４は次の式の環
【化５】
2004525800.tif 000005
を表し、その際、アスタリスク（*）は二重結合が出ている環原子を示し、
その際、アルキル基、例えばプロピル、ブチル等は分枝していてもよい］
又は、式（ＣＩＩＩ）
【化６】
2004525800.tif 000006
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素、メチル、エチル、プロピル、ブチル、ペンチル、ヘキシル、シクロヘキシル、フェニル、トリル、メトキシフェニル、チエニル、クロロ又はＮＲ１０１Ｒ１０２を表し、
Ｒ１０４は水素、メチル、エチル、フェニル、クロロ、シアノ、ホルミル又は次の式の基
【化７】
2004525800.tif 000007
を表し、
Ｙ１０１はＮ又はＣＨを表し、
ＣＸ１０３Ｘ１０４は次の式の環
【化８】
2004525800.tif 000008
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化９】
2004525800.tif 000009
を表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７は−ＣＨ２ＳＯ３−Ｍ＋又は次の式の基
【化１０】
2004525800.tif 000010
を表し、
Ｍ＋はカチオンを表し、及び
Ａｎ−はアニオンを表し、
その際、アルキル基、例えばプロピル、ブチル等は分枝していてもよい］
又は、式（ＣＩＩＩ）
【化１１】
2004525800.tif 000011
［式中、
Ｘ１０１はＯ又はＳを表し、
Ｘ１０２はＣＲ１０４を表し、
Ｒ１０１及びＲ１０２は相互に無関係に、メチル、エチル、プロピル、シクロヘキシル、ベンジル又はフェニルを表し、Ｒ１０１は付加的に水素を表すか、又は
ＮＲ１０１Ｒ１０２はピロリジノ又はモルホリノを表し、
Ｒ１０３は水素、メチル又はエチルを表し、
Ｒ１０４は水素、メチル又はエチルを表し、
Ｙ１０１はＣＨを表し、
ＣＸ１０３Ｘ１０４は次の式の環
【化１２】
2004525800.tif 000012
を表し、その際、アスタリスク（*）は二重結合が出ている環原子を示し、
Ｒ１０５は水素、メチル、エチル、プロピル、メトキシエチル、メトキシプロピル、シアノエチル、ヒドロキシエチル、アセトキシエチル、クロロエチル、シクロヘキシル、フェニル、トルイル、メトキシフェニル、−（ＣＨ２）３−Ｎ（ＣＨ３）２、−（ＣＨ２）３−Ｎ＋（ＣＨ３）３  Ａｎ−又は
次の式の基
【化１３】
2004525800.tif 000013
を表し、
Ｒ１０６はメチル、エチル、プロピル又はブチルを表し、
Ｒ１０７はシアノ、メトキシカルボニル又はエトキシカルボニルを表し、
Ｍ＋はカチオンを表し、及び
Ａｎ−はアニオンを表し、
その際、アルキル基、例えばプロピル、ブチル等は分枝していてもよい］
又は、式（ＣＩＩＩ）
【化１４】
2004525800.tif 000014
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素、メチル、エチル、プロピル、ブチル、ペンチル、ヘキシル、シクロヘキシル、フェニル、トリル、メトキシフェニル、チエニル、クロロ又はＮＲ１０１Ｒ１０２を表し、
Ｒ１０４は水素、メチル、エチル、フェニル、クロロ、シアノ、ホルミル又は次の式の基
【化１５】
2004525800.tif 000015
を表し、
Ｙ１０１はＮ又はＣＨを表し、
ＣＸ１０３Ｘ１０４は次の式の環
【化１６】
2004525800.tif 000016
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化１７】
2004525800.tif 000017
を表し、
Ｒ１０６はシアノ、メトキシカルボニル又はエトキシカルボニルを表し、
Ｒ１０７はシアノ、メトキシカルボニル又はエトキシカルボニルを表し、
その際、アルキル基、例えばプロピル、ブチル等は分枝していてもよい］
又は、式（ＣＩＩＩ）
【化１８】
2004525800.tif 000018
［式中、
Ｘ１０１はＯ又はＳを表し、
Ｘ１０２はＮ又はＣＲ１０４を表し、
Ｒ１０１及びＲ１０２は相互に無関係に、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素又はフェニルを表し、
Ｒ１０４は水素又はシアノを表し、
Ｙ１０１はＣＨを表し、
ＣＸ１０３Ｘ１０４は次の式の環
【化１９】
2004525800.tif 000019
を表し、その際、アスタリスク（*）は二重結合が出ている環原子を示し、
その際、アルキル基、例えばプロピル、ブチル等は分枝していてもよい］
又は、式（ＣＩＩＩ）
【化２０】
2004525800.tif 000020
［式中、
Ｘ１０１はＯ又はＳを表し、
Ｘ１０２はＮ又はＣＲ１０４を表し、
Ｒ１０１及びＲ１０２は相互に無関係に、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素又はフェニルを表し、
Ｒ１０４は水素又はシアノを表し、
Ｙ１０１はＣＨを表し、
ＣＸ１０３Ｘ１０４は次の式の環
【化２１】
2004525800.tif 000021
を表し、その際、アスタリスク（*）は二重結合が出ている環原子を示し、
Ｒ１０５はプロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル、−（ＣＨ２）３−Ｎ（ＣＨ３）２、−（ＣＨ２）３−Ｎ＋（ＣＨ３）３  Ａｎ−又は
次の式の基
【化２２】
2004525800.tif 000022
を表し、２つの基Ｒ１０５は異なることができ、かつ
Ｍ＋はカチオンを表し、
Ａｎ−はアニオンを表し、
その際、アルキル基、例えばプロピル、ブチル等は分枝していてもよい］
又は、式
【化２３】
2004525800.tif 000023
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素、メチル、エチル、プロピル、ブチル、ペンチル、ヘキシル、シクロヘキシル、フェニル、トリル、メトキシフェニル、チエニル、クロロ又はＮＲ１０１Ｒ１０２を表し、
Ｒ１０４は水素、メチル、エチル、フェニル、クロロ、シアノ、ホルミル又は次の式の基
【化２４】
2004525800.tif 000024
を表し、
Ｙ１０１はＮ又はＣＨを表し、
ＣＸ１０３Ｘ１０４は次の式の環
【化２５】
2004525800.tif 000025
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル又はメトキシフェニルを表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７はシアノ、メトキシカルボニル、エトキシカルボニル又は次の式の基
【化２６】
2004525800.tif 000026
を表し、
及び
Ａｎ−はアニオンを表し、
その際、アルキル基、例えばプロピル、ブチル等は分枝していてもよい］
又は、式
【化２７】
2004525800.tif 000027
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素、メチル、エチル、プロピル、ブチル、ペンチル、ヘキシル、シクロヘキシル、フェニル、トリル、メトキシフェニル、チエニル、クロロ又はＮＲ１０１Ｒ１０２を表し、
Ｒ１０４は水素、メチル、エチル、フェニル、クロロ、シアノ、ホルミル又は次の式の基
【化２８】
2004525800.tif 000028
を表し、
Ｙ１０１はＮ又はＣＨを表し、
Ｘ１０３はシアノ、メトキシカルボニル又はエトキシカルボニルを表し、及び
Ｘ１０４はベンゾチアゾル−２−イル、ベンゾオキサゾル−２−イル又は２−又は４−ピリジルを表し、
その際、アルキル基、例えばプロピル、ブチル等は分枝していてもよい］、
又は、式
【化２９】
2004525800.tif 000029
［式中、
Ｘ１０１はＯ又はＳを表し、
Ｘ１０２はＮ又はＣＲ１０４を表し、
Ｒ１０１及びＲ１０２は相互に無関係に、メチル、エチル、プロピル、ブチル、ペンチル、ヘキシル、シクロヘキシル、ベンジル又はフェニルを表し、Ｒ１０１は付加的に水素を表すか、又は
ＮＲ１０１Ｒ１０２はピロリジノ、ピペリジノ又はモルホリノを表し、
Ｒ１０３は水素、メチル、エチル、プロピル、ブチル、ペンチル、ヘキシル、シクロヘキシル、フェニル、トリル、メトキシフェニル、チエニル、クロロ又はＮＲ１０１Ｒ１０２を表し、
Ｒ１０４は水素、メチル、エチル、フェニル、クロロ、シアノ、ホルミル又は次の式の基
【化３０】
2004525800.tif 000030
を表し、
Ｙ１０１はＮ又はＣＨを表し、
ＣＸ１０３Ｘ１０４は次の式の基
【化３１】
2004525800.tif 000031
を表し、
基Ｒ１１５及びＲ１１６の一方は水素、メチル、シアノ又は２−又は４−ピリジルを表し、他方は水素を表し、かつ
Ａｎ−はアニオンを表し、
その際、アルキル基、例えばプロピル、ブチル等は分枝していてもよい］、
又は、式（ＣＸＶＩ）
【化３２】
2004525800.tif 000032
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の環
【化３３】
2004525800.tif 000033
を表し、その際、アスタリスク（*）は二重結合が出ている環原子を示し、
その際、アルキル基、例えばプロピル、ブチル等は分枝していてもよい］、
又は、式（ＣＸＶＩ）
【化３４】
2004525800.tif 000034
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の環
【化３５】
2004525800.tif 000035
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化３６】
2004525800.tif 000036
を表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７は−ＣＨ２ＳＯ３−Ｍ＋又は次の式の基
【化３７】
2004525800.tif 000037
を表し、
Ｍ＋はカチオンを表し、及び
Ａｎ−はアニオンを表し、
その際、アルキル基、例えばプロピル、ブチル等は分枝していてもよい］
又は、式（ＣＸＶＩ）
【化３８】
2004525800.tif 000038
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の環
【化３９】
2004525800.tif 000039
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化４０】
2004525800.tif 000040
を表し、
Ｒ１０６はシアノ、メトキシカルボニル又はエトキシカルボニルを表し、
Ｒ１０７はシアノ、メトキシカルボニル又はエトキシカルボニルを表し、
その際、アルキル基、例えばプロピル、ブチル等は分枝していてもよい］、
又は、式（ＣＸＶＩ）
【化４１】
2004525800.tif 000041
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の環
【化４２】
2004525800.tif 000042
を表し、その際、アスタリスク（*）は二重結合が出ている環原子を示し、
Ｒ１０５はプロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル、−（ＣＨ２）３−Ｎ（ＣＨ３）２、−（ＣＨ２）３−Ｎ＋（ＣＨ３）３  Ａｎ−又は
次の式の基
【化４３】
2004525800.tif 000043
を表し、２つの基Ｒ１０５は異なることができ、かつ
Ｍ＋はカチオンを表し、
Ａｎ−はアニオンを表し、
その際、アルキル基、例えばプロピル、ブチル等は分枝していてもよい］
又は、式（ＣＸＶＩ）
【化４４】
2004525800.tif 000044
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の環
【化４５】
2004525800.tif 000045
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル又はメトキシフェニルを表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７はシアノ、メトキシカルボニル、エトキシカルボニル又は次の式の基
【化４６】
2004525800.tif 000046
を表し、
及び
Ａｎ−はアニオンを表し、
その際、アルキル基、例えばプロピル、ブチル等は分枝していてもよい］、
又は、式（ＣＸＶＩ）
【化４７】
2004525800.tif 000047
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
Ｘ１０３はシアノ、メトキシカルボニル又はエトキシカルボニルを表し、及び
Ｘ１０４はベンゾチアゾル−２−イル、ベンゾオキサゾル−２−イル又は２−又は４−ピリジル、有利に２−ピリジルを表し、
その際、アルキル基、例えばプロピル、ブチル等は分枝していてもよい］、
又は、式（ＣＸＶＩ）
【化４８】
2004525800.tif 000048
［式中、
Ｘ１０５はＣ（ＣＨ３）２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｒ１０９は水素、メチル、エチル、メトキシ、エトキシ、シアン、クロロ、トリフルオロメチル、トリフルオロメトキシ、メトキシカルボニル又はエトキシカルボニルを表し、
Ｙ１０１はＣＨを表し、
ＣＸ１０３Ｘ１０４は次の式の基
【化４９】
2004525800.tif 000049
を表し、
基Ｒ１１５及びＲ１１６の一方は水素、メチル、シアノ又は２−又は４−ピリジルを表し、他方は水素を表し、かつ
Ａｎ−はアニオンを表し、
その際、アルキル基、例えばプロピル、ブチル等は分枝していてもよい］、
【化５０】
2004525800.tif 000050
［ｎは１又は２を表し、］
又は、式（ＣＸＩＸ）
【化５１】
2004525800.tif 000051
［式中、
Ｒ１１５及びＲ１１６は相互に無関係に、メチル、エチル、プロピル、ブチル、ペンチル、ヘキシル、ヘプチル、オクチル、フェニル、トリル、アニシル、ベンジル又はフェネチルを表すか、又は
ＮＲ１１５Ｒ１１６はピロリジノ、ピペリジノ又はモルホリノを表し、
ｎは１又は２を表し、
ＣＸ１０３Ｘ１０４は次の式の環
【化５２】
2004525800.tif 000052
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化５３】
2004525800.tif 000053
を表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７は−ＣＨ２ＳＯ３−Ｍ＋又は次の式の基
【化５４】
2004525800.tif 000054
【化５５】
2004525800.tif 000055
を表し、
Ｍ＋はカチオンを表し、及び
Ａｎ−はアニオンを表し、
その際、アルキル基、例えばプロピル、ブチル等は分枝していてもよい］
又は、式（ＣＸＩＸ）
【化５６】
2004525800.tif 000056
［式中、
Ｒ１１５及びＲ１１６は相互に無関係に、メチル、エチル、プロピル、ブチル、ペンチル、ヘキシル、ヘプチル、オクチル、フェニル、トリル、アニシル、ベンジル又はフェネチルを表すか、又は
ＮＲ１１５Ｒ１１６はピロリジノ、ピペリジノ又はモルホリノを表し、
ｎは１又は２を表し、
ＣＸ１０３Ｘ１０４は次の式の環
【化５７】
2004525800.tif 000057
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化５８】
2004525800.tif 000058
を表し、
Ｒ１０６はシアノ、メトキシカルボニル又はエトキシカルボニルを表し、
Ｒ１０７はシアノ、メトキシカルボニル又はエトキシカルボニルを表し、
その際、アルキル基、例えばプロピル、ブチル等は分枝していてもよい］、
又は、式
【化５９】
2004525800.tif 000059
［式中、
Ｒ１１５及びＲ１１６は相互に無関係に、メチル、エチル、プロピル、ブチル、ペンチル、ヘキシル、ヘプチル、オクチル、フェニル、トリル、アニシル、ベンジル又はフェネチルを表すか、又は
ＮＲ１１５Ｒ１１６はピロリジノ、ピペリジノ又はモルホリノを表し、
ｎは１又は２を表し、
ＣＸ１０３Ｘ１０４は次の式の環
【化６０】
2004525800.tif 000060
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル又はメトキシフェニルを表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７はシアノ、メトキシカルボニル、エトキシカルボニル又は次の式の基
【化６１】
2004525800.tif 000061
を表し、かつ
Ａｎ−はアニオンを表し、
その際、アルキル基、例えばプロピル、ブチル等は分枝していてもよい］
又は、式（ＣＸＩＸ）
【化６２】
2004525800.tif 000062
［式中、
Ｒ１１５及びＲ１１６は相互に無関係に、メチル、エチル、プロピル、ブチル、ペンチル、ヘキシル、ヘプチル、オクチル、フェニル、トリル、アニシル、ベンジル又はフェネチルを表すか、又は
ＮＲ１１５Ｒ１１６はピロリジノ、ピペリジノ又はモルホリノを表し、
ｎは１又は２を表し、
Ｘ１０３はシアノ、メトキシカルボニル又はエトキシカルボニルを表し、及び
Ｘ１０４はベンゾチアゾル−２−イル、ベンゾオキサゾル−２−イル又は２−又は４−ピリジル、有利に２−ピリジルを表し、
その際、アルキル基、例えばプロピル、ブチル等は分枝していてもよい］
又は、式（ＣＸＩＸ）
【化６３】
2004525800.tif 000063
［式中、
Ｒ１１５及びＲ１１６は相互に無関係に、メチル、エチル、プロピル、ブチル、ペンチル、ヘキシル、ヘプチル、オクチル、フェニル、トリル、アニシル、ベンジル又はフェネチルを表すか、又は
ＮＲ１１５Ｒ１１６はピロリジノ、ピペリジノ又はモルホリノを表し、
ｎは１又は２を表し、
ＣＸ１０３Ｘ１０４は次の式の基
【化６４】
2004525800.tif 000064
を表し、
基Ｒ１１５及びＲ１１６の一方は水素、メチル、シアノ又は２−又は４−ピリジルを表し、他方は水素を表し、かつ
Ａｎ−はアニオンを表し、
その際、アルキル基、例えばプロピル、ブチル等は分枝していてもよい］
又は、式（ＣＸＸＸＩ）
【化６５】
2004525800.tif 000065
［式中、
Ｘ１０５はＯ、Ｓ又はＣＨ２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｙ１０１はＣＨを表し、
ＣＸ１０３Ｘ１０４は次の式の環
【化６６】
2004525800.tif 000066
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化６７】
2004525800.tif 000067
を表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７は−ＣＨ２ＳＯ３−Ｍ＋又は次の式の基
【化６８】
2004525800.tif 000068
【化６９】
2004525800.tif 000069
を表し、
Ｍ＋はカチオンを表し、及び
Ａｎ−はアニオンを表し、
その際、アルキル基、例えばプロピル、ブチル等は分枝していてもよい］
又は、式（ＣＸＸＸＩ）
【化７０】
2004525800.tif 000070
［式中、
Ｘ１０５はＯ、Ｓ又はＣＨ２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｙ１０１はＣＨを表し、
ＣＸ１０３Ｘ１０４は次の式の環
【化７１】
2004525800.tif 000071
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル、メトキシフェニル又は
次の式の基
【化７２】
2004525800.tif 000072
を表し、
Ｒ１０６はシアノ、メトキシカルボニル又はエトキシカルボニルを表し、
Ｒ１０７はシアノ、メトキシカルボニル又はエトキシカルボニルを表し、
その際、アルキル基、例えばプロピル、ブチル等は分枝していてもよい］
又は、式（ＣＸＸＸＩ）
【化７３】
2004525800.tif 000073
式中、
Ｘ１０５はＯ、Ｓ又はＣＨ２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｙ１０１はＣＨを表し、
ＣＸ１０３Ｘ１０４は次の式の環
【化７４】
2004525800.tif 000074
を表し、その際、アスタリスク（*）は二重結合が出ている環原子を示し、
Ｒ１０５は水素、メチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、フェニル、トリル又はメトキシフェニルを表し、
Ｒ１０６は水素、メチル、エチル、プロピル、ブチル、トリフルオロメチル、シアノ、メトキシカルボニル、エトキシカルボニル、シクロヘキシル又はフェニルを表し、
Ｒ１０７はシアノ、メトキシカルボニル、エトキシカルボニル又は次の式の基
【化７５】
2004525800.tif 000075
を表し、かつ
Ａｎ−はアニオンを表し、
その際、アルキル基、例えばプロピル、ブチル等は分枝していてもよい］
又は、式（ＣＸＸＸＩ）
【化７６】
2004525800.tif 000076
［式中、
Ｘ１０５はＯ、Ｓ又はＣＨ２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｙ１０１はＣＨを表し、
Ｘ１０３はシアノ、メトキシカルボニル又はエトキシカルボニルを表し、及び
Ｘ１０４はベンゾチアゾル−２−イル、ベンゾオキサゾル−２−イル又は２−又は４−ピリジル、有利に２−ピリジルを表し、
その際、アルキル基、例えばプロピル、ブチル等は分枝していてもよい］、
又は、式（ＣＸＸＸＩ）
【化７７】
2004525800.tif 000077
［式中、
Ｘ１０５はＯ、Ｓ又はＣＨ２を表し、
Ｒ１０８はメチル、エチル、プロピル、ブチル、ペンチル、ヘキシル、ヘプチル、オクチル、メトキシエチル、メトキシプロピル、シアノエチル、ヒドロキシエチル、アセトキシエチル、クロロエチル、シクロヘキシル、ベンジル又はフェネチルを表し、
Ｙ１０１はＣＨを表し、
ＣＸ１０３Ｘ１０４は次の式の基
【化７８】
2004525800.tif 000078
を表し、
基Ｒ１１５及びＲ１１６の一方は水素、メチル、シアノ又は２−又は４−ピリジルを表し、他方は水素を表し、かつ
Ａｎ−はアニオンを表し、
その際、アルキル基、例えばプロピル、ブチル等は分枝していてもよい］のメロシアニン。